(57)【要約】【目的】適切なフレーミングを行う。【構成】暗い場所または明るい場所においては輪郭表示スイッチがオンされる。被写体を撮像し，被写体像を表すカラー画像データから白黒画像データが生成される（ステップ５３）。白黒画像から輪郭画像が抽出される（ステップ５４）。輪郭画像が白黒用液晶表示装置の表示画面に表示される（ステップ５５）。【選択図】  図５
2004179708.tif 000002
【特許請求の範囲】
【請求項１】
被写体を撮像し，被写体像を表す映像信号を出力する撮像手段を備え，上記撮像手段から出力された映像信号を記録媒体に記録するディジタル・カメラにおいて，
上記撮像手段から出力された映像信号から，上記被写体像の輪郭画像を表す信号を抽出する輪郭抽出手段，および
輪郭抽出指令が与えられることにより，上記輪郭抽出手段によって抽出された輪郭信号によって表される輪郭画像を表示するように表示装置を制御する第１の表示制御手段，
を備えたディジタル・カメラ。
【請求項２】
上記撮像手段が，カラー映像信号を出力するものであり，
上記撮像手段から出力されるカラー映像信号からモノクロ映像信号を生成するモノクロ映像信号生成手段をさらに備え，
上記輪郭抽出手段は，上記モノクロ映像信号生成手段から出力されたモノクロ映像信号から上記輪郭画像を表す信号を抽出するものである，
請求項１に記載のディジタル・カメラ。
【請求項３】
上記撮像手段から出力されるカラー映像信号によって表されるカラー被写体像を表示するようにカラー表示装置を制御する第２の表示制御手段をさらに備えた請求項２に記載のディジタル・カメラ。
【請求項４】
上記輪郭表示指令が与えられたときには上記第２の表示制御手段はカラー被写体像表示を停止するものである，請求項３に記載のディジタル・カメラ。
【請求項５】
上記撮像手段が，カラー映像信号を出力するものであり，
上記撮像手段から出力されるカラー映像信号から２値画像を表す２値映像信号を生成する２値映像信号生成手段をさらに備え，
上記輪郭抽出手段は，上記２値映像信号生成手段から出力された２値映像信号から上記輪郭画像を表す信号を抽出するものである，
請求項１に記載のディジタル・カメラ。
【請求項６】
輪郭指令スイッチをさらに備え，
上記第１の表示制御手段は，上記輪郭表示指令スイッチから輪郭表示指令が与えられることにより，上記輪郭抽出手段によって抽出された輪郭信号によって表される輪郭画像を表示するように表示装置を制御するものである，
請求項１に記載のディジタル・カメラ。
【請求項７】
上記被写体の輝度値を検出する輝度検出手段，および
上記輝度検出手段によって検出された被写体輝度値が第１のしきい値以上または第２のしきい値以下のときに上記第１の表示制御手段に上記輪郭表示指令を与える輪郭表示指令出力手段，
をさらに備えた請求項１に記載のディジタル・カメラ。
【請求項８】
被写体を撮像し，被写体像を表す映像信号を得，得られた映像信号を記録媒体に記録するディジタル・カメラにおいて，
得られた映像信号から上記被写体像の輪郭画像を表す信号を抽出し，
輪郭表示指令が与えられることにより，抽出された輪郭信号によって表される輪郭画像を表示するように表示装置を制御する，
ディジタル・カメラの制御方法。
【発明の詳細な説明】
【０００１】
【技術分野】
この発明は，ディジタル・カメラ（ディジタル・スチル・カメラ，ディジタル・ムービ・ビデオ・カメラ，携帯型情報機器にカメラの機能を持たせたものを含む）およびその制御方法に関する。
【０００２】
【発明の背景】
ディジタル・カメラを用いて被写体像を記録するときには，フレーミングが行われる。ディジタル・カメラには，背面に液晶表示画面が形成されていることが多い。被写体を撮像することにより，液晶表示画面上に被写体像が表示される。液晶表示画面上に表示された被写体像を見ながらフレーミングが行われ，構図が決定される。
【０００３】
しかしながら，明るい屋外での撮影，暗い室内での撮影などの場合には，液晶表示画面上に表示される被写体像が見づらいことがある。フレーミングをやりにくいことがある。
【０００４】
【発明の開示】
この発明は，適切なフレーミングを行うことができるようにすることを目的とする。
【０００５】
この発明は，被写体を撮像し，被写体像を表す映像信号を出力する撮像手段を備え，上記撮像手段から出力された映像信号を記録媒体に記録するディジタル・カメラにおいて，上記撮像手段から出力された映像信号から，上記被写体像の輪郭画像を表す信号を抽出する輪郭抽出手段，および輪郭抽出指令が与えられることにより，上記輪郭抽出手段によって抽出された輪郭信号によって表される輪郭画像を表示するように表示装置を制御する第１の表示制御手段を備えていることを特徴とする。
【０００６】
この発明は，上記ディジタル・カメラに適した制御方法も提供している。すなわち，被写体を撮像し，被写体像を表す映像信号を得，得られた映像信号を記録媒体に記録するディジタル・カメラにおいて，得られた映像信号から上記被写体像の輪郭画像を表す信号を抽出し，輪郭表示指令が与えられることにより，抽出された輪郭信号によって表される輪郭画像を表示するように表示装置を制御するものである。
【０００７】
この発明のディジタル・カメラによると，撮像手段により被写体が撮像され，被写体像を表す映像信号が得られる。得られた映像信号から，被写体像の輪郭画像を表す信号が抽出される。輪郭表示指令が与えられると，抽出された輪郭信号によって表される輪郭画像が表示装置の表示画面上に表示される。
【０００８】
輪郭表示指令が与えられると，表示装置の表示画面上に被写体の輪郭画像が表示される。屋外撮影，室内撮影など表示装置の表示画面上に表示される被写体像が見にくいときには，輪郭表示指令が与えられることにより，表示画面上には被写体の輪郭画像が表示されることとなる。被写体像が見にくい場合であっても輪郭画像であれば，比較的見やすいことが多い。適切なフレーミングを行うことができる。
【０００９】
上記撮像手段が，カラー映像信号を出力するものでもよい。この場合には，上記撮像手段から出力されるカラー映像信号からモノクロ映像信号を生成するモノクロ映像信号生成手段をさらに備えることとなろう。そして，上記輪郭抽出手段は，上記モノクロ映像信号生成手段から出力されたモノクロ映像信号から上記輪郭画像を表す信号を抽出するものとなろう。
【００１０】
モノクロの輪郭画像が表示されるので，カラーの輪郭画像が表示される場合に比べて見やすくなる。
【００１１】
上記撮像手段から出力されるカラー映像信号によって表されるカラー被写体像を表示するようにカラー表示装置を制御する第２の表示制御手段をさらに備えることが好ましい。
【００１２】
輪郭画像だけでなく，カラーの被写体像も表示させることができる。
【００１３】
上記輪郭表示指令が与えられたときには上記第２の表示制御手段はカラー被写体像表示を停止するようにしてもよい。
【００１４】
上述したように，上記撮像手段は，カラー映像信号を出力するものでもよい。この場合，上記撮像手段から出力されるカラー映像信号から２値画像を表す２値映像信号を生成する２値映像信号生成手段をさらに備えることが好ましい。そして，上記輪郭抽出手段は，上記２値映像信号生成手段から出力された２値映像信号から上記輪郭画像を表す信号を抽出するものとなろう。
【００１５】
２値の輪郭画像が表示されるので，カラー輪郭画像が表示される場合に比べて見やすくなる。
【００１６】
輪郭指令スイッチをさらに備えるようにしてもよい。この場合，上記第１の表示制御手段は，上記輪郭表示指令スイッチから輪郭表示指令が与えられることにより，上記輪郭抽出手段によって抽出された輪郭信号によって表される輪郭画像を表示するように表示装置を制御するものとなろう。
【００１７】
被写体像が見にくいときには，輪郭指令スイッチにより，輪郭表示指令を与えることができる。輪郭指令スイッチから輪郭表示指令が与えられることにより，表示装置の表示画面上に輪郭画像が表示されるようになる。
【００１８】
上記被写体の輝度値を検出する輝度検出手段，および上記輝度検出手段によって検出された被写体輝度値が第１のしきい値以上または第２のしきい値以下のときに上記第１の表示制御手段に上記輪郭表示指令を与える輪郭表示指令出力手段をさらに備えるようにしてもよい。
【００１９】
被写体輝度値が第１のしきい値以上であれば，屋外撮影などのように比較的明るい場所での撮影のために，表示装置の表示画面上に被写体像を表示しても被写体像が見にくいと考えられる。また，被写体輝度値が第２のしきい値以下であれば，室内撮影などのように比較的暗い場所での撮影のために，表示装置の表示画面上に被写体像を表示しても被写体像が見にくいと考えられる。被写体輝度値が第１のしきい値以上の場合，または被写体輝度値が第２のしきい値以下の場合には，輪郭画像が表示されるので，被写体を把握することができる。比較的適切なフレーミングができるようになる。
【００２０】
【実施例の説明】
図１は，この発明の実施例を示すもので，ディジタル・スチル・カメラの電気的構成を示すブロック図である。
【００２１】
ディジタル・スチル・カメラの全体の動作は，ＣＰＵ１５によって統括される。
【００２２】
ディジタル・スチル・カメラには，シャッタ・レリーズ・ボタン，上下左右ボタン等のボタン，スイッチ等を含むボタン類１６および輪郭表示指令を与える輪郭表示スイッチ１７が含まれている。これらのボタン類１６および輪郭表示スイッチ１７から出力される信号は，ＣＰＵ１５に入力する。
【００２３】
輪郭表示スイッチ１７から輪郭表示指令がＣＰＵ１５に与えられると，詳しくは後述するように輪郭画像が白黒液晶表示装置１４に表示される。輪郭画像が表示されるから，屋外などの明るい場所または室内などの暗い場所において被写体を撮像する場合でも適切にフレーミングすることができるようになる。
【００２４】
ディジタル・カメラには，撮像装置１が含まれている。この撮像装置１は，ＣＰＵ１５によって制御される。
【００２５】
撮像装置１には，ズーム・レンズ２が含まれている。ズーム・レンズ２によって被写体像を表す光像が絞り３を介してＣＣＤ４の受光面上に結像する。ＣＣＤ４から被写体像を表す映像信号が出力され，ＣＤＳ（相関二重サンプリング）／ＧＣＡ（ゲイン・コントロール・アンプリファイア）回路５に入力する。ＣＤＳ／ＧＣＡ回路５において，入力した映像信号が相関二重サンプリングおよびゲイン・コントロール処理が行われる。ＣＤＳ／ＧＣＡ回路５から出力された映像信号は，アナログ／ディジタル変換回路６においてディジタル画像データに変換される。ディジタル画像データは，ディジタル信号処理回路７に入力する。ディジタル信号処理回路７において，ホワイト・バランス調整，ガンマ補正などの所定の信号処理が行われる。ディジタル信号処理回路７における信号処理について詳しくは後述する。また，ディジタル信号処理回路７において輝度データも生成される。生成された輝度データは，ディジタル信号処理回路７からＣＰＵ１５に入力する。ディジタル信号処理回路７から出力された画像データは，簡易信号処理回路１０およびメモリ・カード・インターフェイス８に与えられる。
【００２６】
入力した輝度データにもとづいて，ＣＰＵ１５によって絞り３の開口が制御される。
【００２７】
簡易信号処理回路１０において，カラーの被写体像を表すカラー画像データと被写体の輪郭の白黒画像を表す白黒画像データとが生成される。生成されたカラー画像データは，カラー液晶用ドライバ１１に与えられる。カラー液晶表示装置１２の表示画面上に被写体のカラー画像が表示される。また，生成された白黒画像データは白黒液晶ドライバ１３に与えられる。白黒液晶表示装置１４の表示画面上に白黒の輪郭画像が表示される。
【００２８】
シャッタ・レリーズ・ボタンが押されると，ディジタル信号処理回路７から出力された画像データは，メモリ・カード・インターフェイス８を介してメモリ・カード９に与えられる。メモリ・カード９に，被写体像を表すカラー画像データが記録される。
【００２９】
図２は，ディジタル信号処理回路７の電気的構成を示すブロック図である。
【００３０】
アナログ／ディジタル変換回路６から出力された画像データは，積算回路２７に入力する。積算回路２７において，入力した画像データからＧ成分の画像データが積算される。積算値を表すデータが輝度データとしてＣＰＵ１５に入力する。
【００３１】
また，上述のようにシャッタ・レリーズ・ボタンが押されると，アナログ／ディジタル変換回路６から出力された画像データは，メモリ２６に与えられ，一時的に記憶される。画像データは，メモリ２６から読み出され，ホワイト・バランス調整回路２１においてホワイト・バランス調整が行われる。画像データは，さらに，ガンマ補正回路２２においてガンマ補正され，Ｙ／Ｃ処理回路２３に入力する。Ｙ／Ｃ処理回路２３において，輝度データおよび色差データが生成される。生成された輝度データおよび色差データは，輪郭強調回路２４において輪郭強調が行われる。輪郭強調された輝度データおよび色差データが圧縮回路２５において圧縮される。圧縮された輝度データおよび色差データが上述のようにしてメモリ・カード・インターフェイス８を介してメモリ・カード９に与えられる。
【００３２】
また，カラー液晶表示装置１２の表示画面にカラーの被写体像を表示等する場合にも，アナログ／ディジタル変換回路６から出力された画像データは，メモリ２６に与えられ，一時的に記憶される。メモリ２６からは，カラーの被写体像を表示するための画像データと白黒の輪郭画像を表示するための画像データとが出力される。白黒の輪郭画像の大きさの方がカラーの被写体像の画像の大きさよりも小さい。このために，メモリ２６から白黒の輪郭画像を生成するために画像データが読み出されるときには，カラーの被写体像を生成するためにメモリ２６から画像データを読み出すときよりもデータ量が少なくなるように間引き処理が行われて読み出される。メモリ２６から読み出されたカラー被写体像用の画像データおよび白黒の輪郭画像用の画像データは，簡易信号処理回路１０に入力する。
【００３３】
図３は，簡易信号処理回路１０の電気的構成を示すブロック図である。
【００３４】
メモリ２６から読み出されたカラー被写体像用の画像データは，ホワイト・バランス調整回路３１に入力し，ホワイト・バランス調整が行われる。画像データは，さらにガンマ補正回路３２においてガンマ補正され，Ｙ／Ｃ処理回路３３に入力する。Ｙ／Ｃ処理回路３３において輝度データおよび色差データが生成される。生成された輝度データおよび色差データがカラー液晶用ドライバ１１に与えられることにより，上述したように，カラー液晶表示装置１２の表示画面にカラーの被写体像が表示される。
【００３５】
メモリ２６から読み出された白黒輪郭画像用の画像データは，Ｇデータ抽出回路３４に入力する。Ｇデータ抽出回路３４において，入力した画像データからＧ成分（緑色成分）の画像データが抽出される。抽出されたＧ画像データが輪郭抽出回路３５に与えられる。輪郭抽出回路３５において，輪郭画像を表す輪郭画像データが抽出される。抽出された輪郭画像データが白黒用液晶表示ドライバ１３に与えられることにより，上述したように白黒液晶表示装置１４の表示画面上に白黒の輪郭画像が表示される。Ｇ成分を輝度データと見なしているが，輝度データを生成するようにしてもよい。この場合には，Ｇ抽出回路３４の代わりに，Ｙ／Ｃ処理回路が設けられることとなろう。
【００３６】
図４は，ディジタル・スチル・カメラの背面を示している。
【００３７】
ディジタル・スチル・カメラの背面には，そのほぼ全面にカラー液晶表示装置１２のカラー用表示画面４１が形成されている。カラー用表示画面４１にカラーの被写体像が表示される。カラー用表示画面４１の右上には，白黒液晶表示装置１４の白黒用表示画面４２が形成されている。白黒用表示画面４２に，上述のようにＧ成分のデータにより表される白黒の輪郭画像が表示される。白黒用表示画面４２の下には，ボタン類１６に含まれるキャンセル・ボタン４３，上下左右の矢印が形成されている上下左右ボタン４４およびメニュー／実行ボタン４５が設けられている。また，メニュー／実行ボタン４５の下には輪郭表示ボタン１７が設けられている。
【００３８】
図５は，ディジタル・スチル・カメラの処理手順を示すもので，輪郭表示ボタン１７がオンされたときの処理手順を示すフローチャートである。
【００３９】
フレーミングが行われるときには，ユーザによって輪郭表示ボタン１７がオンされる。すると，カラー液晶表示装置１２は，オフされる（ステップ５１）。上述のようにして被写体が撮像され，被写体像を表す画像データがディジタル信号処理回路７に入力する。白黒用表示画面４２に表示される画像の大きさとなるように，ディジタル信号処理回路７のメモリ２６から白黒輪郭画像用の画像データが，間引きながら読み出される（縮小画像生成処理：ステップ５２）。
【００４０】
読み出された白黒輪郭画像用の画像データからＧ成分のデータが抽出されることにより，白黒画像が生成される（ステップ５３）。生成された白黒画像データが上述したように，輪郭抽出回路３５において輪郭抽出処理され，輪郭画像を表す画像データが得られる（ステップ５４）。輪郭画像データが白黒液晶用ドライバ１３に与えられることにより，白黒液晶表示装置１４の表示画面４２に白黒の輪郭画像が表示される（ステップ５５）。
【００４１】
上述した実施例においては，カラー液晶表示装置１２をオフにしているが，必ずしもオフにしなくてもよい。また，白黒輪郭画像をカラー液晶表示装置１２の表示画面４１に表示するようにしてもよい。白黒輪郭画像をカラー液晶表示装置１２の表示画面に表示する場合には，簡易信号処理回路１０の輪郭抽出回路３５から出力される白黒画像データがカラー液晶用ドライバ１１に与えられることとなろう。
【００４２】
また，上述した実施例においては白黒の輪郭画像（グレーを含む）を白黒液晶表示画面４２に表示しているが，白または黒からなる２値の輪郭画像を白黒液晶表示画面４２に表示するようにしてもよい。２値の輪郭画像を白黒液晶表示画面４２に表示する場合には，Ｇ抽出回路３４の代わりにＹ／Ｃ処理回路が設けられ，得られた輝度データを比較回路を用いて２値化することとなろう。
【００４３】
また，白黒の輪郭画像の代わりにカラーの輪郭画像を表示するようにしてもよい。カラーの輪郭画像を表示する場合には，簡易信号処理回路１０に含まれるＹ／Ｃ処理回路３３から得られる輝度データおよび色差データから輪郭抽出が行われることとなろう。
【００４４】
さらに，シャッタ・レリーズ・ボタンが二段ストローク・タイプのものの場合であれば，第１段階の押下に応じて輪郭画像を表示し，第２段階の押下に応じて，カラーの被写体像を表示するようにしてもよい。
【００４５】
図６は，他の処理手順を示すもので，輪郭表示スイッチ１７がオンされたときのディジタル・スチル・カメラの処理手順を示すフローチャートである。この図において，図５に示すものと同一の処理については同一符号を付して説明を省略する。
【００４６】
図５に示す処理は，輪郭表示スイッチ１７がオンされると，被写体輝度に関わらず輪郭画像が表示されるものであるが，図６に示す処理は，輪郭表示スイッチ１７がオンされると，被写体輝度が測定され，測定された被写体輝度に応じて輪郭画像が表示される。
【００４７】
上述したように，ディジタル信号処理回路７に含まれる積算回路２７から出力される積算値もとづいて被写体輝度値（ＢＶ値）が検出される（ステップ６１）。検出された被写体輝度値が第１のしきい値Ｔｈ１以上または第２のしきい値Ｔｈ２以下であれば（ステップ６２でＹＥＳ），上述のようにして輪郭画像が表示される（ステップ５２から５５）。被写体輝度値が第１のしきい値Ｔｈ１以上であれば，明るい場所での撮影であり，カラーの被写体像をカラー用の表示画面４１に表示しても被写体像が見づらい。また，被写体輝度値が第２のしきい値Ｔｈ２以下であれば，暗い場所での撮影であり，同様に被写体像が見づらい。このために，上述したように輪郭画像が白黒液晶用画面４２に表示される。検出された被写体輝度値が第１のしきい値Ｔｈ１より大きく，かつ第２のしきい値Ｔｈ２未満であれば（ステップ６２でＮＯ），ステップ５２から５５の処理はスキップされる。
【００４８】
また，カラー画像データは簡易信号処理回路１０からカラー液晶用ドライバ１１に与えられる。これにより，カラー液晶用画面４１上にカラーの被写体像が表示される（ステップ６７）。
【００４９】
上述した実施例においては，輪郭表示スイッチ１７がオンされたときに被写体輝度値を検出して，被写体輝度値に応じて輪郭画像を表示しているが，輪郭表示スイッチ１７のオン／オフに関わらず被写体輝度値に応じて輪郭画像を表示するようにしてもよい。
【００５０】
さらに，上述した実施例においては各回路がハードウエアにより構成されているがソフトウエアにより実現するようにしてもよい。
【図面の簡単な説明】
【図１】ディジタル・スチル・カメラの電気的構成を示すブロック図である。
【図２】ディジタル信号処理回路の電気的構成を示すブロック図である。
【図３】簡易信号処理回路の電気的構成を示すブロック図である。
【図４】ディジタル・スチル・カメラの背面図である。
【図５】ディジタル・スチル・カメラの処理手順を示すフローチャートである。
【図６】ディジタル・スチル・カメラの処理手順を示すフローチャートである。
【符号の説明】
１  撮像装置
７  ディジタル信号処理回路
９  メモリ・カード
１０  簡易信号処理回路
１１  カラー液晶用ドライバ
１２  カラー液晶表示装置
１３  白黒液晶用ドライバ
１４  白黒液晶表示装置
１５  ＣＰＵ
１７  輪郭表示スイッチ
２７  積算回路
３４  Ｇ抽出回路
３５  輪郭抽出回路
４１  カラー液晶表示画面
４２  白黒液晶表示画面
【図１】
2004179708.tif 000003
【図２】
2004179708.tif 000004
【図３】
2004179708.tif 000005
【図４】
2004179708.tif 000006
【図５】
2004179708.tif 000007
【図６】
2004179708.tif 000008